(57)【要約】【課題】ゴキブリが逃げ出しそうな不安をユーザに抱かせないゴキブリ捕獲器を提供する。【解決手段】ゴキブリ捕獲器１は、容器２と、容器２内に収容された粘着剤３とを備えている。粘着剤３は、ゴキブリＣを捕らえると共に、捕らえたゴキブリＣを容器２の底部へ沈み込ませていく。【選択図】図１
2011000072.tif 000002
【特許請求の範囲】
【請求項１】
容器と、前記容器内に収容された粘着剤とを備えたゴキブリ捕獲器であって、
前記粘着剤は、ゴキブリを捕らえると共に、捕らえたゴキブリを前記容器の底部へ沈み込ませていくことを特徴とするゴキブリ捕獲器。
【請求項２】
容器と、前記容器内に収容された粘着剤とを備えたゴキブリ捕獲器であって、
前記粘着剤の、４０℃における動粘度は、４５０００〜３２００００ｍｍ２／ｓであることを特徴とするゴキブリ捕獲器。
【請求項３】
請求項１又は２に記載のゴキブリ捕獲器において、
前記容器内には、捕らえられて底部に沈み込んだゴキブリが前記粘着剤に完全に覆われるだけの量以上の該粘着剤が収容されていることを特徴とするゴキブリ捕獲器。
【請求項４】
請求項１乃至３の何れか１つに記載のゴキブリ捕獲器において、
前記容器の底部は、内方に向かって深さが深くなっていることを特徴とするゴキブリ捕獲器。
【請求項５】
請求項１乃至４の何れか１つに記載のゴキブリ捕獲器において、
前記粘着剤は、透明又は半透明であることを特徴とするゴキブリ捕獲器。
【請求項６】
請求項１乃至５の何れか１つに記載のゴキブリ捕獲器において、
前記粘着剤は、ポリブテンであることを特徴とするゴキブリ捕獲器。
【発明の詳細な説明】
【技術分野】
【０００１】
本発明は、容器内に粘着剤を収容したゴキブリ捕獲器に関するものである。
【背景技術】
【０００２】
従来より、容器内に粘着剤を収容したゴキブリ捕獲器が知られている。
【０００３】
特許文献１，２に係るゴキブリ捕獲器は、粘着剤が底面に薄く設けられた容器を備えている。具体的には、容器の底面に粘着剤が塗布されていたり、粘着剤が塗布されたシートが容器の底面に貼付されていたりする。このように構成されたゴキブリ捕獲器は、容器内に侵入したゴキブリが粘着剤に触れると、粘着剤がゴキブリに粘り着いてゴキブリを捕獲する。
【先行技術文献】
【特許文献】
【０００４】
【特許文献１】実開昭６０−５７９８４号公報
【特許文献２】特開２００７−１５９５２１号公報
【発明の概要】
【発明が解決しようとする課題】
【０００５】
しかしながら、このように構成されたゴキブリ捕獲器に関して、インターネットによるアンケート調査を実施した結果、ユーザには様々な不満点があることが明らかになった。詳しくは、２０代〜５０代の男女５４５名にインターネット上で協力を依頼して、満足点及び不満点に関して、複数の選択肢の中から該当するものを複数回答で選択してもらった。その結果、ゴキブリ捕獲器の不満点として、捨てるときにゴキブリが見えること（１位：４４．０％）、捨てるときに不潔だと感じること（２位：３９．１％）、見た目が汚いこと（３位：３５．４％）等が挙げられている。その一方で、ゴキブリ捕獲器の満足点として、手軽に使えること（１位：５２．８％）、ゴキブリが捕まったという効果が目に見えること（２位：４９．１％）、隙間に置くことができること（３位：４４．３％）等が挙げられている。このアンケート結果によれば、ユーザはゴキブリが見えていることに不満を抱いている一方で、ゴキブリが見えていることに満足感を覚えるという矛盾した心理を露呈している。
【０００６】
そこで、発明者は、このユーザの矛盾した心理状況を解明すべく、さらに詳しい調査を行った。具体的には、ゴキブリ捕獲器に捕獲されているがゴキブリが生きている状態のものと、ゴキブリ捕獲器に捕獲されているがゴキブリが完全に死んでいる状態のものとを調査対象者に見せて、感想を尋ねた。その結果、ほとんどの対象者がゴキブリが動いている方が気持ち悪いと答え、その理由として、ゴキブリが逃げ出しそうに感じる、ゴキブリが生きていること自体が気持ち悪い、ゴキブリがもがいている姿が見苦しい等を自由回答として挙げた。
【０００７】
続いて、発明者は、生きているゴキブリが捕獲されたゴキブリ捕獲器を透明のカバーで覆った状態で、調査対象者に見せて、感想を尋ねた。その結果、ほとんどの対象者が、気持ち悪さが軽減すると答え、その理由として、ゴキブリが外へ逃げ出しそうにないから、ゴキブリが剥き出しになっていないから、ゴキブリに触れることがないから等を自由回答として挙げた。
【０００８】
これらの聞き取り調査の結果、発明者は、ユーザがゴキブリが見えていることに不満を感じている大きな理由の１つは、ゴキブリが逃げ出しそうな感覚を覚えるためであるという結論に至った。
【０００９】
ゴキブリ捕獲器の分野では、従来、如何により多くのゴキブリを効率良く捕獲するかということに主眼をおいて開発が進められてきた。そして、ユーザがゴキブリ捕獲器に対して抱える潜在的な不満点についてはほとんど考慮されてこなかった。
【００１０】
つまり、本発明者は、従来のゴキブリ捕獲器では、ユーザは、剥き出しの状態のゴキブリが逃げ出すのではないかという不安を抱えているという課題を初めて見出した。
【００１１】
ここに開示された技術は、かかる点に鑑みてなされたものであり、その目的とするところは、ゴキブリが逃げ出しそうな不安をユーザに抱かせないゴキブリ捕獲器を提供することにある。
【課題を解決するための手段】
【００１２】
ここに開示されたゴキブリ捕獲器は、容器と、前記容器内に収容された粘着剤とを備えている。そして、前記粘着剤は、ゴキブリを捕らえると共に、捕らえたゴキブリを前記容器の底部へ沈み込ませていくようにしたものとする。
【００１３】
前記の構成の場合、まず、粘着剤に触れたゴキブリを粘着剤の粘着力により捕らえる。そして、捕らえたゴキブリを容器の底部へ向かって粘着剤の内部へ沈み込ませていく。こうして、ゴキブリは、容器の底部へ沈み込み、歩脚や胴体（頭部、胸部及び腹部）が粘着剤に漬かった状態となる。こうすることで、捕らえられたゴキブリは粘着剤に漬かって動けない状態になっているため、ゴキブリが逃げ出すのではないかというユーザの不安を解消することができる。
【００１４】
また、ここに開示されたゴキブリ捕獲器は、容器と、前記容器内に収容された粘着剤とを備えている。そして、前記粘着剤の、４０℃における動粘度は、４５０００〜３２００００ｍｍ２／ｓとすることが好ましい。
【００１５】
前記の構成の場合、粘着剤は、該粘着剤に触れたゴキブリに粘り着いて、該ゴキブリを捕獲できる程度の粘着性を有している。さらに、この粘着剤は、捕らえたゴキブリを沈み込ませることができる程度の軟らかさを有している。そのため、前述の範囲の動粘度を有する粘着剤を用いることによって、ゴキブリを捕らえると共に、捕らえたゴキブリを前記容器の底部へ沈み込ませていくことができる。
【００１６】
前記容器内には、捕らえられて底部に沈み込んだゴキブリが前記粘着剤に完全に覆われるだけの量以上の該粘着剤が収容されていることが好ましい。
【００１７】
こうすることで、容器の底部へ沈み込んだゴキブリは、その肢体が粘着剤に完全に覆われるようになる。その結果、ゴキブリが逃げ出さないという安心感をより強くユーザに与えることができる。また、ゴキブリが剥き出しにならないため、見た目の気持ち悪さを低減することができる。さらに、ゴキブリ捕獲器を処理する際に、ゴキブリに触れてしまうという不安をなくすことができる。さらにまた、ゴキブリが粘着剤内に完全に漬かり切った状態となるため、容器内の粘着剤の表面にはゴキブリがほとんど露出しておらず、表面の略全面が新たな粘着面となる。その結果、粘着剤の表面がゴキブリで埋め尽くされることがないため、次から次へとゴキブリを捕獲することができ、捕獲効率を高めることができる。
【００１８】
前記容器の底部は、内方に向かって深さが深くなっているようにしてもよい。
【００１９】
すなわち、ゴキブリは容器の縁から容器内に侵入してくるため、多くのゴキブリは、容器内の周縁部近傍の粘着剤に捕らえられる。そのまま、ゴキブリが粘着剤内へ沈んでいくと、容器の底部のうち周縁部にゴキブリが貯まっていく。それに対して、前記の構成の場合、底部が容器の内方に向かって深くなっているため、容器内の周縁部近傍において捕らえられたゴキブリは、該周縁部近傍において容器の底部まで沈んでいくものの、底部に到達した後、深さが深くなっている容器の内方へ向かって容器の底部を移動していく。その結果、容器の周縁部近傍にばかりゴキブリが貯まっていくことを防止することができる。
【００２０】
前記粘着剤は、透明又は半透明であってもよい。
【００２１】
こうすることで、ゴキブリが粘着剤に完全に漬かった状態であっても、ゴキブリを視認することができる。その結果、ゴキブリを捕獲できたという効果を顕在化して、ユーザに満足感を与えることができる。
【００２２】
また、前記粘着剤は、ポリブテンであることが好ましい。
【発明の効果】
【００２３】
前記ゴキブリ捕獲器によれば、粘着剤の粘着力によってゴキブリを捕らえることができると共に、捕らえたゴキブリを容器の底部へ向かって粘着剤内に沈み込ませて、ゴキブリの歩脚や胴体を粘着剤に漬かった状態にすることができる。その結果、ゴキブリが動けないこと又はゴキブリが死んでいることをユーザに認識させることができるため、ゴキブリが逃げ出さないという安心感をユーザに与えることができる。
【図面の簡単な説明】
【００２４】
【図１】本発明の実施形態に係るゴキブリ捕獲器を示す概略的な斜視図である。
【図２】ゴキブリ捕獲器を示す概略的な断面図である。
【図３】ゴキブリ捕獲器によってゴキブリを捕獲するときの様子を示す説明図であって、（Ａ）はゴキブリが粘着剤に触れたときを、（Ｂ）はゴキブリが粘着剤に沈んでいくときを、（Ｃ）はゴキブリが容器の底部において中央に移動していくときを、（Ｄ）は複数のゴキブリが容器の底部に貯まった状態を示す図である。
【図４】実験に用いたゴキブリ捕獲器を示す断面図である。
【図５】その他の実施形態に係るゴキブリ捕獲器を示す概略的な断面図である。
【図６】その他の実施形態に係る別のゴキブリ捕獲器を示す概略的な断面図である。
【発明を実施するための形態】
【００２５】
以下、本発明の実施形態を図面に基づいて詳細に説明する。
【００２６】
《発明の実施形態》
図１は、本発明の実施形態に係るゴキブリ捕獲器１を示す概略的な斜視図であって、図２は、ゴキブリ捕獲器１の概略的な断面図である。このゴキブリ捕獲器１は、容器２と、容器２内に収容された粘着剤３とを備えていて、容器２内に侵入したゴキブリＣを粘着剤３で捕獲するものである。
【００２７】
前記容器２は、椀状の容器本体２１と、容器本体２１の開口縁部に連結されたスロープ部２２とを有している。
【００２８】
容器本体２１は、内方に向かって深さが深くなるように、底部が湾曲している。詳しくは、容器本体２１は、中央部が最も深くなっている。
【００２９】
スロープ部２２は、円錐台の側周面状に形成され、容器本体２１の開口縁部の全周に亘って連結されている。詳しくは、スロープ部２２は、上端縁が容器本体２１の開口縁部に連結されていて、上端縁から下端縁に向かって径方向外方に広がるように傾斜している。このスロープ部２２の傾斜角度は、ゴキブリが該スロープ部２２を登ることができる程度の角度に設定されている。
【００３０】
この容器２の容器本体２１内に、粘着剤３が収容されている。また、本実施形態では、より捕獲効率を高めるために、粘着剤３の表面に誘引剤４が散布されている。容器本体２１内には、捕らえられて底部に沈み込んだゴキブリが粘着剤３に完全に覆われるだけの量以上の粘着剤３を収容している。この粘着剤３の量は、捕獲するゴキブリの種類、量に応じて設定され得る。ここで、日本の代表的なゴキブリの体格を表１に示す。
【００３１】
【表１】
2011000072.tif 000003
【００３２】
具体的には、粘着剤３の厚さ（粘着剤３の表面から、容器本体２１の最も深い部分（中央部）までの深さ）は、５〜３０ｍｍ程度に設定されている。チャバネゴキブリを主な捕獲対象とする場合には、粘着剤３の厚さは５ｍｍでも十分である。一方、クロゴキブリやワモンゴキブリを主な捕獲対象とする場合には、粘着剤３の厚さは１０ｍｍ以上に設定される。
【００３３】
前記粘着剤３は、ゴキブリＣを捕らえると共に、捕らえたゴキブリＣを前記容器２の底部へ沈み込ませていくものである。つまり、粘着剤３には、ゴキブリＣを逃がすことなく捕らえることができる粘着性と、捕らえたゴキブリＣがその自重で沈んでいくだけの柔軟性とを備えている。粘着剤３は、一例として、ポリブテンで構成されている。粘着剤３の、４０℃における動粘度は、４５０００〜３２００００ｍｍ２／ｓであることが好ましい。こうすることで、粘着剤３はそれに触れたゴキブリＣに粘り着いて、ゴキブリＣを捕らえることができると共に、捕らえたゴキブリＣを容器２の底部へ向かって粘着剤３の内部へ沈み込ませることができる。つまり、動粘度を４５０００ｍｍ２／ｓ以上とすることによって、粘着剤３の粘着力を十分確保することができる。そのため、粘着剤３に触れたゴキブリＣに粘着剤３が粘り着いて、ゴキブリＣの自由を奪い、ゴキブリＣが粘着剤３から逃げ出すことを抑止することができる。また、動粘度を３２００００ｍｍ２／ｓ以下とすることによって、ゴキブリＣを沈み込ませるだけの、粘着剤３の軟らかさを確保することができる。そのため、粘着剤３で捕らえたゴキブリＣを、容器２の底部へ向かって粘着剤３内へ沈み込ませることができる。
【００３４】
例えば、粘着剤３としては、日石ポリブテン（製品名）のグレードＨＶ−１９００（数平均分子量：２９００Ｖ．Ｐ．Ｏ、４０℃における動粘度：１６００００ｍｍ２／ｓ、流動点：１７．５℃）を用いることが好ましい。また、粘着剤３としては、日石ポリブテンのグレードＨＶ−３００（数平均分子量：１４００Ｖ．Ｐ．Ｏ、４０℃における動粘度：２６０００ｍｍ２／ｓ、流動点：０℃）やＨＶ−３０００（数平均分子量：３７００Ｖ．Ｐ．Ｏ、４０℃における動粘度：３２００００ｍｍ２／ｓ、流動点：２２．５℃）を用いてもよい。
【００３５】
このように構成されたゴキブリ捕獲器１によりゴキブリを捕獲する様子を図３を参照しながら説明する。まず、図３（Ａ）に示すように、ゴキブリＣが誘引剤４に引き寄せられて、容器２のスロープ部２２をよじ登ってくる。スロープ部２２を登ったゴキブリＣは、誘引剤４に向かってさらに進み、容器本体２１内へ侵入する。容器本体２１には粘着剤３が収容されているため、容器本体２１内へ侵入したゴキブリＣは、粘着剤３に触れる。粘着剤３は、粘着剤３に触れたゴキブリＣの身動きが不自由になる程度の粘着性を有している。そのため、粘着剤３は、ゴキブリＣに粘り着いてゴキブリＣの身動きを拘束して、ゴキブリＣを捕らえる。
【００３６】
従来のゴキブリ捕獲器であれば、ここで、ゴキブリＣの捕獲が完了する。しかし、本実施形態では、ここから、捕獲したゴキブリＣを粘着剤３内に沈み込ませていく。すなわち、粘着剤３は、ゴキブリＣの自重によりゴキブリＣが容器２の底部に沈み込んでいく程度の動粘度を有している。そのため、粘着剤３が粘り着いて、身動きが取り難くなったゴキブリＣは、図３（Ｂ）に示すように、容器２の底部に向かって粘着剤３の内部へ、しだいに沈んでいく。ここで、粘着剤３は、粘着剤３に触れたゴキブリＣを逃がすことなく捕獲できる程度の動粘度を有しているため、ゴキブリＣは粘着剤３中に瞬時に沈み込むのではなく、時間をかけて徐々に沈み込んでいく。
【００３７】
ゴキブリＣが容器２の底部に到達すると、容器２の底部は中央部が最も深くなるように湾曲しているため、図３（Ｃ）に示すように、ゴキブリＣは容器２の底部の形状に沿って中央部へ移動していく。こうして、ゴキブリＣの捕獲が完了する。
【００３８】
このように、捕獲されたゴキブリＣが容器２の底部に沈み込んでいくと、粘着剤３の表面には、新たな粘着面が形成される。すなわち、粘着剤３の表面がゴキブリＣで専有されることがなく、次々にゴキブリを捕獲しては、容器２の底部へ沈めていくことができる。その結果、容器２の底部には、図３（Ｄ）に示すように、捕獲されたゴキブリＣが次々に貯まっていく。
【００３９】
したがって、本実施形態によれば、粘着剤３によって、ゴキブリＣを逃がすことなく捕獲することができ、それに加えて、ゴキブリＣを容器２の底部へ向かって粘着剤３内へ沈み込ませることができる。すなわち、従来であれば、ゴキブリＣの歩脚が粘着剤３にくっついているだけ（胴体がくっついているとしても、腹面がくっついているだけ）であるのに対し、本実施形態では、ゴキブリＣが粘着剤３に漬かった状態となる。こうして、ゴキブリＣは、歩脚及び胴体が粘着剤３で覆われるため、動けなくなる。その結果、ゴキブリＣは動けない、又は死んでいるという安心感をユーザに与えることができる。こうして、ゴキブリＣが逃げ出しそうな不安をユーザに与えないようにして、ゴキブリ捕獲器１に対するユーザの不満を解消することができる。
【００４０】
また、容器２内には、容器２の底部に沈み込んだゴキブリＣが粘着剤３に完全に覆われるだけの量以上の粘着剤３が収容されているため、捕獲したゴキブリＣを粘着剤３で完全に覆うことができる。その結果、ゴキブリＣが逃げ出さないという安心感をより強くユーザに与えることができる。また、捕獲したゴキブリＣが剥き出しになることを防止することができる。その結果、ゴキブリＣの見た目の気持ち悪さを軽減することができる。さらに、ゴキブリ捕獲器１を処理する際に、ゴキブリＣに触れてしまうという不安をなくすことができる。
【００４１】
それに加えて、粘着剤３を透明に構成することによって、捕獲したゴキブリＣを視認可能にすることができ、ゴキブリＣが捕獲できたという効果を顕在化させることができる。ここで、ユーザは、剥き出しの状態のゴキブリが逃げ出すのではないかという不安を抱えながら、それでも捕獲されたゴキブリの姿を見て満足したいという複雑な心理にある。つまり、前記粘着剤３を透明に構成することによって、逃げ出す可能性がないゴキブリを視認したいというユーザ心理を満たすことができる。尚、粘着剤３中のゴキブリＣの存在が視認できる程度であれば、粘着剤３を半透明にしてもよい。粘着剤３を半透明にすることで、ゴキブリＣの気持ち悪さを軽減することもできる。
【００４２】
また、ゴキブリＣが容器２の底部に沈んで粘着剤３に完全に漬かった状態となると、粘着剤３の表面には新たな粘着面が形成される。その結果、次々にゴキブリＣを捕獲することができる。従来のゴキブリ捕獲器では、粘着剤のうち、ゴキブリＣを捕獲した部分はゴキブリＣに専有されるため、別のゴキブリＣを同じ部分で捕獲することができない。つまり、従来のゴキブリ捕獲器は、粘着剤の表面を埋め尽くすだけのゴキブリＣまでしか、即ち、粘着剤の面積に応じたゴキブリＣしか捕獲することができない。それに対して、本実施形態に係るゴキブリ捕獲器１によれば、粘着剤３の表面を埋め尽くすだけのゴキブリＣを捕獲したとしても、それらは、容器２の底部に沈んでいき、新たな粘着剤３の表面（即ち、粘着面）が形成されるため、粘着剤の表面を埋め尽くすだけのゴキブリＣよりも多くのゴキブリＣを捕獲することができる。具体的には、ゴキブリＣが容器２の底部に沈んでいくにつれて、粘着剤３の表面も上昇するため、ゴキブリ捕獲器１は、粘着剤３の表面が容器２の上端縁に達するまでゴキブリＣを捕獲し続けることができる。すなわち、ゴキブリ捕獲器１は、粘着剤３又は容器２の体積に応じたゴキブリＣを捕獲することができる。こうして、捕獲効率を高めることができる。
【実施例】
【００４３】
続いて、本発明の実施例について説明する。
【００４４】
様々な粘着剤について、ゴキブリＣの逃げ率と沈み込みの可否を調べる実験を行った。具体的には、まず、図４に示すような容器２内に、深さが約１０ｍｍとなる程度に粘着剤３を収容したゴキブリ捕獲器１を準備する。次に、ゴキブリＣを容器２のスロープ部２２の縁に放し、ゴキブリＣの尾端をつついて、ゴキブリＣを容器本体２１へ追い込む。そして、ゴキブリＣの前脚が粘着剤３に触れた時点から、ゴキブリＣが逃げられるか否かを観測する。ここで、前脚が粘着剤３に触れ、そのまま粘着剤３に捕らえられたゴキブリＣについては、「捕らえられた」と判定する。一方、前脚が粘着剤３に触れたにもかかわらず、ゴキブリＣが容器本体２１外へ脱出した場合には、「逃げた」と判定する。
【００４５】
続いて、ゴキブリＣが粘着剤３に沈み込んでいくか否かを判定する。捕らえられたゴキブリＣについては、そのゴキブリＣが粘着剤３へ沈み込むか否かで判定する。一方、逃げ率が高い水やゴマ油の場合には、逃げたゴキブリＣを捕まえ一旦麻酔をかけて眠らせた上で粘着剤３上に乗せて、そのゴキブリＣが粘着剤３へ沈み込むか否かで判定する。ゴキブリＣの胴体全体が容器２の底部へ沈んだ場合は、「沈み込んだ」と判定し、ゴキブリＣが浮くか容器２の底部まで沈み込まない場合は、「沈まない」と判定した。
【００４６】
このような実験を、粘着剤３の種類を変えて、各粘着剤３につき１０匹のゴキブリＣで実験を行った。その実験結果を表２に示す。粘着剤３として、主に、動粘度の異なるポリブテンを用いて実験を行った。ポリブテン以外には、水、ゴマ油、エバータック（登録商標）のグレードＳＡ−５０Ｅを用いて実験を行った。エバータックのグレードＳＡ−５０Ｅは、従来のゴキブリ捕獲器の粘着剤として用いられるものである。尚、逃げ率については、ゴキブリＣが逃げた割合を表３に示す０〜５の６段階に分けて表している。また、沈み込みについては、沈み込んだ場合を○で、沈まない場合を×で表している。
【００４７】
【表２】
2011000072.tif 000004
【００４８】
【表３】
2011000072.tif 000005
【００４９】
表２からわかるように、粘着剤３の４０℃の動粘度が３４５０ｍｍ２／ｓ以上３２００００ｍｍ２／ｓ以下であれば、ゴキブリＣの逃げ率を３０％以下に抑えることができる。また、粘着剤３の４０℃の動粘度が４５０００ｍｍ２／ｓ以上３２００００ｍｍ２／ｓ以下であれば、ゴキブリＣの逃げ率を１０％以下に抑えることができ、逃げ率をより低下させることができる。さらに、粘着剤３の４０℃の動粘度が８００００ｍｍ２／ｓ以上３２００００ｍｍ２／ｓ以下であれば、ゴキブリＣの逃げ率を０％に抑えることができ、逃げ率を著しく低下させることができる。尚、エバータックの場合も、逃げ率は０％である。
【００５０】
動粘度が３４５０ｍｍ２／ｓ以上３２００００ｍｍ２／ｓ以下のポリブテンにおいては、ゴキブリＣが完全に沈み込んだ。さらに詳しくは、動粘度が２６０００ｍｍ２／ｓのポリブテンでは、約５〜１０分でゴキブリＣが容器２の底部まで沈み込み、動粘度が１６００００ｍｍ２／ｓのポリブテンでは、約１〜２時間でゴキブリＣが容器２の底部まで沈み込んだ。尚、ゴマ油の場合も、ゴキブリＣは完全に沈み込んだ。一方、エバータックの場合は、ゴキブリＣは沈み込まなかった。エバータックのグレードＳＡ−５０Ｅは流動点が８０℃であるため、ゴキブリＣをその自重により沈み込ませるだけの軟らかさはない。尚、水の場合、ゴキブリＣは浮いた。
【００５１】
したがって、ゴキブリＣを捕獲し且つ、ゴキブリＣを粘着剤３内に沈み込ませるためには、４０℃の動粘度が３４５０ｍｍ２／ｓ以上３２００００ｍｍ２／ｓ以下の粘着剤３を用いることが好ましい。また、４０℃の動粘度が４５０００ｍｍ２／ｓ以上３２００００ｍｍ２／ｓ以下の粘着剤３を用いることがより好ましい。動粘度が４５０００ｍｍ２／ｓ未満であれば、ゴキブリＣを捕獲できるとはいっても、逃げ率が３０％以下であるのに対して、動粘度を４５０００ｍｍ２／ｓ以上とすることによって、逃げ率を１０％以下にすることができ、ゴキブリＣを高い確率で捕獲することができる。さらには、４０℃の動粘度が８００００ｍｍ２／ｓ以上３２００００ｍｍ２／ｓ以下の粘着剤３を用いることがさらに好ましい。動粘度を８００００ｍｍ２／ｓ以上とすることによって、逃げ率を０％にすることができ、ゴキブリＣをより確実に捕獲することができる。
【００５２】
《その他の実施形態》
本発明は、前記実施形態について、以下のような構成としてもよい。
【００５３】
すなわち、前記実施形態では、容器２は、開口縁部が円形となった椀状に形成されているが、これに限られるものではない。つまり、容器２は、底を有する容器であれば、任意の形状を採用することができ、平面視が多角形の容器であってもよい。
【００５４】
また、スロープ部２２は容器本体２１の全周に亘って設けられているがこれに限られるものではない。スロープ部２２は、容器本体２１の周方向において間隔を開けて複数設けられていてもよい。また、スロープ部２２は、断面（図２で示す断面）が直線となるような形状ではなく、断面が曲線や階段状となる形状であってもよい。さらに、スロープ部２２は省略することもできる。
【００５５】
また、前記実施形態では、容器２の底部は湾曲しているが、これに限られるものではない。すなわち、容器２の底部は平らであってもよいし、図５に示すように、錐面に形成されていてもよい。
【００５６】
さらに、前記実施形態では、誘引剤４が粘着剤３の表面に散布されているが、これに限られるものではない。すなわち、図６に示すように、容器本体２１の底面の中央に設置台２３が立設され、該設置台２３上に誘引剤４を載置する構成であってもよい。これにより、誘引剤４が粘着剤３内に沈んでいくことを防止することができ、ゴキブリＣの誘引効果を持続させることができる。
【００５７】
尚、誘引剤４は必ずしも必要ではない。誘引剤４を設けないゴキブリ捕獲器であっても、ゴキブリを捕獲することができる。例えば、狭いところに入り込むゴキブリの習性を利用して、ゴキブリ捕獲器の設置場所を工夫することによって、誘引剤なしであっても、ゴキブリ捕獲器でゴキブリを捕獲することができる。
【００５８】
また、前記実施形態では、容器２内には、容器２の底部に沈み込んだゴキブリＣが粘着剤３に完全に覆われるだけの量以上の粘着剤３が収容されているが、粘着剤３の量はこれに限られるものではない。粘着剤３の量は、ゴキブリＣが粘着剤３に漬かった状態、少なくとも、ゴキブリＣの歩脚及び胴体の大半が粘着剤３に漬かった状態となる量であればよい。従来であれば、ゴキブリＣの歩脚が粘着剤３にくっついているだけ（胴体がくっついているとしても、腹面がくっついているだけ）なので、ゴキブリＣの歩脚及び胴体の大半が粘着剤３に漬かった状態となるのでば、従来のゴキブリ捕獲器に比べて、ゴキブリＣが逃げ出すという不安を低減することができる。
【００５９】
尚、以上の実施形態は、本質的に好ましい例示であって、本発明、その適用物、あるいはその用途の範囲を制限することを意図するものではない。
【産業上の利用可能性】
【００６０】
以上説明したように、本発明は、容器内に粘着剤を収容したゴキブリ捕獲器について有用である。
【符号の説明】
【００６１】
１    ゴキブリ捕獲器
２    容器
３    粘着剤
Ｃ    ゴキブリ
【図１】
2011000072.tif 000006
【図２】
2011000072.tif 000007
【図３】
2011000072.tif 000008
【図４】
2011000072.tif 000009
【図５】
2011000072.tif 000010
【図６】
2011000072.tif 000011